(57)【要約】  本件開示のある実施形態は、複数の受信ダイバーシティ方式の組合せにしたがって受信信号を結合することを要するハイブリッド受信ダイバーシティ方式を提供する。本件開示のある実施形態は、受信機から受信された信号品質測定に基づいて選択される送信ダイバーシティ方式にしたがって受信機にダイバーシティ信号を送信することを要するハイブリッド送信ダイバーシティ方式を提供する。【選択図】図4
2011523281.tif 000002
【特許請求の範囲】
【請求項１】
受信ダイバーシティ処理を実行するための方法であって、
第１および第２のアンテナにより第1および第2の信号をそれぞれ受信することと、
第1の結合信号を生成するために第1のダイバーシティ結合方式を使用して前記第1および第2の信号を結合することと、
第2の結合信号を生成するために第２のダイバーシティ結合方式を使用して前記第1および第2の信号を結合することと、および
前記第1および第2の結合信号の関数としてハイブリッド結合信号を生成することと
を具備する方法。
【請求項２】
前記第1のダイバーシティ結合方式は、ビームフォーミングダイバーシティ方式を具備する、請求項1に記載の方法。
【請求項３】
前記第2のダイバーシティ結合方式は、最大比率結合（MRC）方式を具備する、請求項2に記載の方法。
【請求項４】
少なくとも1つの信号品質測定を計算することと、
前記信号品質測定が、チャネル状態が雑音によって支配されていると示す場合、前記第1の結合信号からの寄与をより多くして前記ハイブリッド結合信号を生成することと、および
前記信号品質測定が、チャネル状態が干渉によって支配されていると示す場合、前記第2の結合信号からの寄与をより多くして前記ハイブリッド結合信号を生成することと
をさらに具備する請求項3に記載の方法。
【請求項５】
前記第1および第2の結合信号の関数として前記ハイブリッド結合信号を生成することは、前記ハイブリッド結合信号として前記第1および第2の結合信号のうちの1つを選択することを具備する、請求項1に記載の方法。
【請求項６】
少なくとも1つの信号品質測定を計算することと、
前記信号品質測定に基づいて第1および第2のセットの重み付け値を生成することと、
前記第1の結合信号に適用される前記第1の重み付け値と前記第2の結合信号に適用される前記第2の重み付け値との重み付けの和の関数として前記ハイブリッド結合信号を生成することと
をさらに具備する請求項1に記載の方法。
【請求項７】
受信ダイバーシティ処理を実行するための装置であって、
第1の結合信号を生成するために第1のダイバーシティ結合方式を使用して第1および第2のアンテナによりそれぞれ受信される第1および第2の信号を結合するように構成されている第1の結合論理モジュールと、
第2の結合信号を生成するために第２のダイバーシティ結合方式を使用して前記第1および第２の信号を結合するように構成されている第２の結合論理モジュールと、および
前記第１および第２の結合信号の関数としてハイブリッド結合信号を生成するように構成されているハイブリッド論理モジュールと
を具備する装置。
【請求項８】
前記第1のダイバーシティ結合方式は、ビームフォーミングダイバーシティ方式を具備する、請求項7に記載の装置。
【請求項９】
前記第2のダイバーシティ結合方式は、最大比率結合（MRC）方式を具備する、請求項8に記載の装置。
【請求項１０】
少なくとも1つの信号品質測定を計算するように構成されている信号品質論理モジュールをさらに具備する、請求項9に記載の装置であって、
前記ハイブリッド論理モジュールは、前記信号品質測定が、チャネル状態が雑音によって支配されていると示す場合、前記第1の結合信号からの寄与をより多くして前記ハイブリッド結合信号を生成し、前記信号品質測定が、チャネル状態が干渉によって支配されていると示す場合、前記第2の結合信号からの寄与をより多くして前記ハイブリッド結合信号を生成するように構成されている、請求項9に記載の装置。
【請求項１１】
少なくとも1つの信号品質測定を計算するように構成されている信号品質論理モジュールと、
前記信号品質測定に基づいて第1および第2のセットの重み付け値を生成するように構成されている重み付け生成論理モジュールと
をさらに具備する請求項7に記載の装置であって、
前記ハイブリッド論理モジュールは、前記第1の結合信号に適用される前記第1の重み付け値と前記第2の結合信号に適用される前記第2の重み付け値との重み付けの和の関数として前記ハイブリッド結合信号を生成するように構成されている、請求項7に記載の装置。
【請求項１２】
前記ハイブリッド論理モジュールは、前記ハイブリッド結合信号として前記第1および第2の結合信号のうちの1つを選択することによって前記ハイブリッド結合信号を生成するように構成されている、請求項7に記載の装置。
【請求項１３】
受信ダイバーシティ処理を実行するための装置であって、
第1および第2のアンテナにより第1および第2の信号をそれぞれ受信するための手段と、
第1の結合信号を生成するために第1のダイバーシティ結合方式を使用して前記第1および第2の信号を結合するための手段と、
第2の結合信号を生成するために第２のダイバーシティ結合方式を使用して前記第1および第２の信号を結合するための手段と、および
前記第１および第２の結合信号の関数としてハイブリッド結合信号を生成するための手段と
を具備する装置。
【請求項１４】
前記第１のダイバーシティ結合方式は、ビームフォーミングダイバーシティ方式を具備する、請求項13に記載の装置。
【請求項１５】
前記第２のダイバーシティ結合方式は、最大比率結合（MRC）方式を具備する、請求項14に記載の装置。
【請求項１６】
少なくとも１つの信号品質測定を計算するための手段をさらに具備する請求項15に記載の装置であって、
前記ハイブリッド結合信号を生成するための前記手段は、前記信号品質測定が、チャネル状態が雑音によって支配されていると示す場合、前記第１の結合信号からの寄与をより多くして前記ハイブリッド結合信号を生成し、前記信号品質測定が、チャネル状態が干渉によって支配されていると示す場合、前記第２の結合信号からの寄与をより多くして前記ハイブリッド結合信号を生成するように構成されている、請求項15に記載の装置。
【請求項１７】
少なくとも１つの信号品質測定を計算するための手段と、および
前記信号品質測定に基づいて第１および第２のセットの重み付け値を生成するための手段と
をさらに具備する、請求項13に記載の装置であって、
前記ハイブリッド結合信号を生成するための前記手段は、前記第1の結合信号に適用される前記第1の重み付け値と前記第2の結合信号に適用される前記第2の重み付け値との重み付けの和の関数として前記ハイブリッド結合信号を生成するように構成されている、請求項13に記載の装置。
【請求項１８】
前記ハイブリッド結合信号を生成するための前記手段は、前記ハイブリッド結合信号として前記第1および第2の結合信号のうちの1つを選択するように構成されている、請求項13に記載の装置。
【請求項１９】
受信ダイバーシティ処理を実行することができるワイヤレス受信デバイスであって、
第1および第2の信号をそれぞれ受信するための第1および第2のアンテナと、
第1の結合信号を生成するために第1のダイバーシティ結合方式を使用して前記第1および第2の信号を結合するように構成されている第1の結合論理モジュールと、
第2の結合信号を生成するために第２のダイバーシティ結合方式を使用して前記第１および第２の信号を結合するように構成されている第２の結合論理モジュールと、および
前記第１および第２の結合信号の関数としてハイブリッド結合信号を生成するように構成されているハイブリッド論理モジュールと
を具備するデバイス。
【請求項２０】
前記第1のダイバーシティ結合方式は、ビームフォーミングダイバーシティ方式を具備する、請求項19に記載のデバイス。
【請求項２１】
前記第2のダイバーシティ結合方式は、最大比率結合（MRC）方式を具備する、請求項20に記載のデバイス。
【請求項２２】
少なくとも1つの信号品質測定を計算するように構成されている測定論理モジュールをさらに具備する、請求項21に記載のデバイスであって、
前記ハイブリッド論理モジュールは、前記信号品質測定が、チャネル状態が雑音によって支配されていると示す場合、前記第1の結合信号からの寄与をより多くして前記ハイブリッド結合信号を生成し、前記信号品質測定が、チャネル状態が干渉によって支配されていると示す場合、前記第2の結合信号からの寄与をより多くして前記ハイブリッド結合信号を生成するように構成されている、請求項21に記載のデバイス。
【請求項２３】
1セットの命令を内蔵するコンピュータ可読媒体を具備する受信ダイバーシティ処理を実行するためのコンピュータプログラムプロダクトであって、
命令の前記セットは、1つまたは複数のプロセッサによって実行され、命令の前記セットは、
第1および第2のアンテナにより第1および第2の信号をそれぞれ受信するための命令と、
第1の結合信号を生成するために第1のダイバーシティ結合方式を使用して前記第1および第2の信号を結合するための命令と、
第2の結合信号を生成するために第2のダイバーシティ結合方式を使用して前記第1および第2の信号を結合するための命令と、および
前記第1および第2の結合信号の関数としてハイブリッド結合信号を生成するための命令と
を具備する、コンピュータプログラムプロダクト。
【請求項２４】
前記第1および第2のダイバーシティ結合方式のうちの少なくとも1つは、ビームフォーミングダイバーシティ方式を具備し、および前記第1および第2のダイバーシティ結合方式のうちの少なくとも１つは、最大比率結合（MRC）方式を具備する、請求項23に記載のコンピュータプログラムプロダクト。
【請求項２５】
少なくとも１つの信号品質測定をとるための命令と、
前記信号品質測定が、チャネル状態が雑音によって支配されていると示す場合、前記第1の結合信号からの寄与をより多くして前記ハイブリッド結合信号を生成するための命令と、および
前記信号品質測定が、チャネル状態が干渉によって支配されていると示す場合、前記第2の結合信号からの寄与をより多くして前記ハイブリッド結合信号を生成するための命令と
をさらに具備する請求項24に記載のコンピュータプログラムプロダクト。
【請求項２６】
少なくとも1つの信号品質測定をとるための命令と、および
前記信号品質測定に基づいて第1および第2のセットの重み付け値を生成するための命令と
をさらに具備する請求項23に記載のコンピュータプログラムプロダクトであって、
前記ハイブリッド結合信号を生成するための前記命令は、前記第1の結合信号に適用される前記第1の重み付け値と前記第2の結合信号に適用される前記第2の重み付け値との重み付けの和の関数として前記ハイブリッド結合信号を生成するように構成されている、請求項23に記載のコンピュータプログラムプロダクト。
【請求項２７】
送信ダイバーシティ処理を実行するための方法であって、
1つまたは複数の信号品質測定を受信することと、および
前記受信された1つまたは複数の信号品質測定に少なくとも基づいて選択されるように、少なくとも第1の送信ダイバーシティ方式および第2の送信ダイバーシティ方式のうちの1つにしたがってハイブリッド送信ダイバーシティ信号を送信することと
を具備する方法。
【請求項２８】
前記第1の送信ダイバーシティ方式は、ビームフォーミング送信ダイバーシティ方式を具備する、請求項27に記載の方法。
【請求項２９】
前記第2の送信ダイバーシティ方式は、時空符号化（STC）送信ダイバーシティ方式を具備する、請求項28に記載の方法。
【請求項３０】
前記ハイブリッド送信ダイバーシティ信号を送信することは、
前記受信された1つまたは複数の信号品質測定が、チャネル環境が干渉によって支配されていると示す場合、前記第1の送信ダイバーシティ方式にしたがってハイブリッド送信ダイバーシティ信号を送信することと、および
前記受信された1つまたは複数の信号品質測定が、前記チャネル環境が雑音によって支配されていると示す場合、前記第2の送信ダイバーシティ方式にしたがってハイブリッド送信ダイバーシティ信号を送信することと
を具備する、請求項29に記載の方法。
【請求項３１】
送信ダイバーシティ処理を実行するための装置であって、
1つまたは複数の信号品質測定を受信するように構成されている受信論理モジュールと、および
前記受信された1つまたは複数の信号品質測定に少なくとも基づいて選択されるように、少なくとも第1の送信ダイバーシティ方式および第2の送信ダイバーシティ方式のうちの1つにしたがってハイブリッド送信ダイバーシティ信号を送信するように構成されている送信論理モジュールと
を具備する装置。
【請求項３２】
前記第1の送信ダイバーシティ方式は、ビームフォーミング送信ダイバーシティ方式を具備する、請求項31に記載の装置。
【請求項３３】
前記第2の送信ダイバーシティ方式は、時空符号化（STC）送信ダイバーシティ方式を具備する、請求項32に記載の装置。
【請求項３４】
前記送信論理モジュールは、
前記受信された1つまたは複数の信号品質測定が、チャネル環境が干渉によって支配されていると示す場合、前記第1の送信ダイバーシティ方式にしたがってハイブリッド送信ダイバーシティ信号を送信し、
前記受信された1つまたは複数の信号品質測定が、前記チャネル環境が雑音によって支配されていると示す場合、前記第2の送信ダイバーシティ方式にしたがってハイブリッド送信ダイバーシティ信号を送信する
ように構成されている、請求項33に記載の装置。
【請求項３５】
送信ダイバーシティ処理を実行するための装置であって、
1つまたは複数の信号品質測定を受信するための手段と、および
前記受信された1つまたは複数の信号品質測定に少なくとも基づいて選択されるように、少なくとも第1の送信ダイバーシティ方式および第2の送信ダイバーシティ方式のうちの1つにしたがってハイブリッド送信ダイバーシティ信号を送信するための手段と、
を具備する装置。
【請求項３６】
前記第1の送信ダイバーシティ方式は、ビームフォーミング送信ダイバーシティ方式を具備する、請求項35に記載の装置。
【請求項３７】
前記第2の送信ダイバーシティ方式は、時空符号化（STC）送信ダイバーシティ方式を具備する、請求項36に記載の装置。
【請求項３８】
前記ハイブリッド送信ダイバーシティ信号を送信するための前記手段は、
前記受信された1つまたは複数の信号品質測定が、チャネル環境が干渉によって支配されていると示す場合、前記第1の送信ダイバーシティ方式にしたがってハイブリッド送信ダイバーシティ信号を送信するための手段と、および
前記受信された1つまたは複数の信号品質測定が、前記チャネル環境が雑音によって支配されていると示す場合、前記第2の送信ダイバーシティ方式にしたがってハイブリッド送信ダイバーシティ信号を送信するための手段と
を具備する、請求項37に記載の装置。
【請求項３９】
送信ダイバーシティ処理を実行することができるワイヤレス送信デバイスであって、
1つまたは複数の信号品質測定を受信するように構成されている受信論理モジュールに結合されている少なくとも1つのアンテナと、および
前記少なくとも1つのアンテナに結合され、前記受信された1つまたは複数の信号品質測定に少なくとも基づいて選択されるように、少なくとも第1の送信ダイバーシティ方式および第2の送信ダイバーシティ方式のうちの1つにしたがってハイブリッド送信ダイバーシティ信号を送信するように構成されている送信論理モジュールと
を具備するデバイス。
【請求項４０】
前記第1の送信ダイバーシティ方式は、ビームフォーミング送信ダイバーシティ方式を具備する、請求項39に記載のデバイス。
【請求項４１】
前記第2の送信ダイバーシティ方式は、時空符号化（STC）送信ダイバーシティ方式を具備する、請求項40に記載のデバイス。
【請求項４２】
前記送信論理モジュールは、
前記受信された1つまたは複数の信号品質測定が、チャネル環境が干渉によって支配されていると示す場合、前記第1の送信ダイバーシティ方式にしたがってハイブリッド送信ダイバーシティ信号を送信し、および
前記受信された1つまたは複数の信号品質測定が、前記チャネル環境が雑音によって支配されていると示す場合、前記第2の送信ダイバーシティ方式にしたがってハイブリッド送信ダイバーシティ信号を送信するように構成されている、請求項41に記載のデバイス。
【請求項４３】
1セットの命令を内蔵するコンピュータ可読媒体を具備する送信ダイバーシティ処理を実行するためのコンピュータプログラムプロダクトであって、命令の前記セットは、1つまたは複数のプロセッサによって実行され、命令の前記セットは、
1つまたは複数の信号品質測定を受信するための命令と、および
前記受信された1つまたは複数の信号品質測定に少なくとも基づいて選択されるように少なくとも1つの送信ダイバーシティ方式および第2の送信ダイバーシティ方式にしたがってハイブリッド送信ダイバーシティ信号を送信するための命令と
を具備するコンピュータプログラムプロダクト。
【請求項４４】
前記第1の送信ダイバーシティ方式は、ビームフォーミング送信ダイバーシティ方式を具備する、請求項43に記載の方法。
【請求項４５】
前記第2の送信ダイバーシティ方式は、時空符号化（STC）送信ダイバーシティ方式を具備する、請求項44に記載の方法。
【請求項４６】
前記ハイブリッド送信ダイバーシティ信号を送信するための前記命令は、
前記受信された1つまたは複数の信号品質測定が、チャネル環境が干渉によって支配されていると示す場合、前記第1の送信ダイバーシティ方式にしたがってハイブリッド送信ダイバーシティ信号を送信するための命令と、および
前記受信された1つまたは複数の信号品質測定が、前記チャネル環境が雑音によって支配されていると示す場合、前記第2の送信ダイバーシティ方式にしたがってハイブリッド送信ダイバーシティ信号を送信するための命令と
を具備する、請求項45に記載の方法。
【発明の詳細な説明】
【技術分野】
【０００１】
本件開示は、一般に、ワイヤレス通信システムに関係する。より詳細には、本件開示は、ワイヤレス通信システムにおける信号品質を測定するための方法および装置に関係する。
【背景技術】
【０００２】
ワイヤレス通信デバイスは、消費者のニーズに応ずるため、および軽便さおよび便利さを改善するためにより小さく、およびよりパワフルになっている。消費者は、セルラー電話、携帯情報端末（PDA）、ラップトップコンピュータなどのようなワイヤレス通信デバイスに依存している。消費者は、信頼性のあるサービス、広範なカバレッジエリア、および増加した機能性を期待している。ワイヤレス通信デバイスは、移動局、局、アクセス端末、ユーザ端末、端末、加入者ユニット、ユーザ設備などと呼ばれてもよい。
【０００３】
ワイヤレス通信システムは、複数のワイヤレス通信デバイスを同時にサポートすることができる。ワイヤレス通信デバイスは、アップリンクおよびダウンリンク上の送信を通って1つまたは複数の基地局（基地局は、アクセスポイント、ノードBなどと代替的に呼ばれてもよい）と通信することができる。アップリンク（つまり逆方向リンク）とは、ワイヤレス通信デバイスから基地局への通信リンクのことをいい、およびダウンリンク（つまり順方向リンク）とは、基地局からワイヤレス通信デバイスへの通信リンクのことをいう。
【０００４】
ワイヤレス通信システムは、利用可能なシステム資源（例えば、帯域幅および送信電力）を共有することによって複数のユーザとの通信をサポートすることができる多元接続システムであってもよい。そのような多元接続システムの事例は、符号分割多元接続（CDMA）システム、時分割多元接続（TDMA）システム、周波数分割多元接続（FDMA）システム、および直交周波数分割多元接続（OFDMA）システムを含む。
【０００５】
いくつかの場合において、そのようなシステムは、複数の信号パスを提供するために送信基地局および／または移動局において複数のアンテナを利用することができる。結合回路のいくつかのタイプは、典型的に、改善された信号品質を達成するために受信機アンテナからの信号を結合または選択する。そのような方式の事例は、最大比率結合（MRC）方式およびビームフォーミング方式を含む。ビームフォーミングスキームは、典型的に、干渉に支配された通信チャネルにおいて著しい改善をもたらすのに対し、MRC方式は、典型的に、雑音に支配された通信チャネルにおいて著しい改善をもたらす。
【０００６】
残念ながら、従来の結合回路は、結合方式の単一のタイプのみを実装する。これは、雑音に支配された通信チャネルおよび干渉に支配された通信チャネルの両方にわたる信号品質において著しい改善をもたらすことができない。
【図面の簡単な説明】
【０００７】
【図１】図1は、ワイヤレス通信システムの一例を例示している。
【図２】図2は、OFDMまたはOFDMA方法を使用するワイヤレスデバイスにおいて利用されることができる様々なコンポーネントの事例を例示している。
【図３】図3は、直交周波数分割多重（OFDM）および直交周波数分割多元接続（OFDMA）を利用するワイヤレス通信システム内で使用されることができる送信機の一例および受信機の一例を例示している。
【図４】図4は、本件開示のある実施形態にしたがって、ハイブリッド受信ダイバーシティオペレーションを実行することができる受信機の一例を例示している。
【図５】図5は、最大比率結合（MRC）論理の一例を例示している。
【図６】図6は、ビームフォーミング（BF）結合論理の一例を例示している。
【図７】図7は、本件開示のある実施形態にしたがって、ハイブリッド受信ダイバーシティ処理のためのオペレーションの一例を例示している。
【図７Ａ】図7Aは、本件開示のある実施形態にしたがって、ハイブリッド受信ダイバーシティ処理のためのオペレーションを実行するためのコンポーネントの一例を例示している。
【図８】図8は、本件開示のある実施形態にしたがって、ハイブリッド受信ダイバーシティ方式の最も良い選択のためのオペレーションの一例を例示している。
【図９Ａ】図9Aは、MRC結合信号とBF結合信号をそれぞれ選択する受信機の一例を例示している。
【図９Ｂ】図9Bは、MRC結合信号とBF結合信号をそれぞれ選択する受信機の一例を例示している。
【図１０】図10は、本件開示のある実施形態にしたがって、ハイブリッド送信ダイバーシティオペレーションを実行することができる送信機の一例を例示している。
【図１１】図11は、本件開示のある実施形態にしたがって、ハイブリッド送信ダイバーシティのためのオペレーションの一例を例示している。
【図１２Ａ】図12Aは、送信のための時空符号化（STC）ダイバーシティ信号およびBFダイバーシティ信号の一例のそれぞれを例示している。
【図１２Ｂ】図12Bは、送信のための時空符号化（STC）ダイバーシティ信号およびBFダイバーシティ信号の一例のそれぞれを例示している。
【発明の概要】
【０００８】
ある実施形態は、ハイブリッド受信機処理のための方法、受信機、装置、および移動デバイスを提供する。
【０００９】
当該方法は、一般に、２つの異なるアンテナにより送信機から第１および第２の信号を受信することと、第１の結合信号を生成するために第１のダイバーシティ結合方式を使用して前記第１および第２の信号を結合することと、第２の結合信号を生成するために第２のダイバーシティ結合方式を使用して前記第１および第２の結合信号を結合することと、および前記第１および第２の結合信号の関数としてハイブリッド結合信号を生成することとを含む。
【００１０】
ある実施形態は、ハイブリッド送信処理を実行するための方法、送信機、および装置を提供する。
【００１１】
前記方法は、前記信号品質測定に基づいて選択されるように、第１および第２の送信ダイバーシティ方式の１つにしたがって前記受信機に受信および送信ハイブリッド送信ダイバーシティ信号から1つまたは複数の信号品質測定を受信することを含む。
【発明の詳細な説明】
【００１２】
本件開示の方法および装置は、ブロードバンドワイヤレス通信システムにおいて利用されることができる。用語「ブロードバンドワイヤレス」とは、所与のエリアにわたってワイヤレス、音声、インターネット、および／またはデータのネットワーク接続を提供する技術のことをいう。
【００１３】
WiMAX（Worldwide Interoperability for Microwave Accessを表す）は、長距離にわたって高いスループットの広帯域接続を提供する規格ベースの広帯域ワイヤレス技術である。今日、WiMAXの２つの主要なアプリケーションがある。これらは、固定WiMAXおよびモバイルWiMAXである。固定WiMAXアプリケーションは、家庭およびビジネスへの広帯域接続を可能にするポイント・ツー・マルチポイントである。
【００１４】
モバイルWiMAXは、広帯域スピードにおけるセルラーネットワークの完全な移動性を提案する。
【００１５】
モバイルWiMAXは、OFDM（直交周波数分割多重）およびOFDMA（直交周波数分割多元接続）技術であって、合わせてOFDM/A技術またはOFDM/Aシステムと呼ばれる技術に基づく。OFDMは、様々な高いデータレート通信システムにおける広い採用を最近見い出したデジタルマルチキャリア変調技術である。OFDMにより、送信ビットストリームは、複数の低いレートのサブストリームに分割される。各々のサブストリームは、複数の並列サブチャネルのうちの1つのサブチャネル上で送られる。OFDMAは、異なる時間スロット上で異なるサブキャリアがユーザに割り当てられる多元接続技術である。OFDMAは、広く様々なアプリケーション、データレート、およびサービス品質要求を多くのユーザに用立てることができる柔軟な多元接続技術である。
【００１６】
ワイヤレスインターネットおよびワイヤレス通信における急速な成長は、ワイヤレス通信サービスの分野において高いデータレートの要求を強めることをもたらした。OFDM／OFDMAシステムは、今日、最も将来性のある研究分野のうちの１つ、およびワイヤレス通信の次世代のための重要な技術、とみなされている。これは、OFDM／OFDMA変調方式が、通常のシングルキャリア変調方式にまさって、比較的シンプルな等化器による変調の効率、スペクトルの効率、柔軟性および強いマルチパスの免疫性のような多くの利点を提供することができるという事実に起因する。
【００１７】
IEEE802.16ｘは、固定型および移動型広帯域ワイヤレス接続（BWA）システムのための空間インターフェースを定義するための新規の規格組織である。これらの規格は、少なくとも4つの異なる物理層（PHY）および１つのメディアアクセス制御（MAC）層を定義した。4つの物理層のうちOFDM物理層およびOFDMA物理層は、固定型および移動型BWAエリアにおいてそれぞれ最も広く普及している。
【００１８】
図1は、本件発明の実施形態が採用されることができるワイヤレス通信システム100の一例を例示している。ワイヤレス通信システム100は、広帯域ワイヤレス通信システム100であってもよい。ワイヤレス通信システム100は、いくつかのセル102のために通信を提供し、セル102の各々は、基地局104によってサービスされる。基地局104は、ユーザ端末106と通信する固定局であってもよい。基地局104は、アクセスポイント、ノードB、またはいくつかの他の用語で代替的に呼ばれてもよい。
【００１９】
図1は、システム100の全体にわたって分散される様々なユーザ端末106を図示している。ユーザ端末106は、固定型（つまり、静止型）または移動型であってもよい。ユーザ端末106は、遠隔局、アクセス端末、端末、加入者ユニット、移動局、局、ユーザ設備などと代替的に呼ばれてもよい。ユーザ端末106は、セルラー電話、携帯情報端末（PDA）、ハンドヘルドデバイス、ワイヤレスモデム、ラップトップコンピュータ、パーソナルコンピュータ（PC）などのようなワイヤレスデバイスであってもよい。
【００２０】
基地局104とユーザ端末106との間のワイヤレス通信システム100における送信のために様々なアルゴリズムおよび方法が使用されてもよい。例えば、OFDM/OFDMA技術にしたがって基地局104とユーザ端末106との間で信号が送信および受信されることができる。この場合、ワイヤレス通信システム100は、OFDM/OFDMAシステムと呼ばれてもよい。
【００２１】
基地局104からユーザ端末106への送信を容易にする通信リンクは、ダウンリンク108と呼ばれてもよく、ユーザ端末106から基地局104への送信を容易にする通信リンクは、アップリンク110と呼ばれてもよい。代替的に、ダウンリンク108は、順方向リンクまたは順方向チャネルと呼ばれてもよく、アップリンク110は、逆方向リンクまたは逆方向チャネルと呼ばれてもよい。
【００２２】
セル102は、複数のセクター112に分割されることができる。セクター112は、セル102内の物理的カバレッジエリアである。OFDM/OFDMAシステム100内の基地局は、セル102の特定のセクター112内に電力の流れを集中するアンテナを利用することができる。そのようなアンテナは、指向性アンテナと呼ばれてもよい。
【００２３】
図2は、ワイヤレスデバイス202において利用されることができる様々なコンポーネントを例示している。ワイヤレスデバイス202は、本件明細書において説明される様々な方法を実装するように構成されていてもよいデバイスの一例である。ワイヤレスデバイス202は、基地局104またはユーザ端末106であってもよい。
【００２４】
ワイヤレスデバイス202は、ワイヤレスデバイス202のオペレーションを制御するプロセッサ204を含むことができる。プロセッサ204はまた、中心処理装置（CPU）と呼ばれてもよい。メモリ206（読み出し専用メモリ（ROM）およびランダムアクセスメモリ（RAM）の両方を含んでもよい）は、プロセッサ204に命令およびデータを提供する。メモリ206のうちの一部はまた、非発揮性ランダムアクセスメモリ（NVRAM）を含んでもよい。プロセッサ204は、典型的に、メモリ206内に記憶されるプログラム命令に基づいて論理および算術オペレーションを実行する。メモリ206における命令は、本件明細書において説明される方法を実装するために実行可能であってもよい。
【００２５】
ワイヤレスデバイス202はまた、ワイヤレスデバイス202と遠隔位置との間のデータの送信および受信を可能にするために送信機210および受信機212を含むことができるハウジング208を含んでもよい。送信機210および受信機212は、１つの送受信機214に統合されることができる。アンテナ216は、ハウジング208に取り付けられてもよく、送受信機214に電気的に結合されてもよい。ワイヤレスデバイス202はまた、複数の送信機、複数の受信機、複数の送受信機、および／または複数のアンテナ（図示されていない）を含む。
【００２６】
ワイヤレスデバイス202はまた、送受信機214によって受信される信号レベルを検出および量子化するために使用されることができる信号検出器218を含んでもよい。信号検出器218は、全体のエネルギー、擬似雑音（PN）チップごとのパイロットエネルギー、電力スペクトル密度および他の信号としてそのような信号を検出することができる。ワイヤレスデバイス202はまた、処理信号における使用のためにデジタル信号プロセッサ（DSP）220を含むことができる。
【００２７】
ワイヤレスデバイス202の様々なコンポーネントは、バスシステム222によって一緒に結合されることができる。バスシステム222は、データバスに加えて、電力バス、制御信号バス、および状態信号バスを含むことができる。しかしながら、明瞭の目的のために、バスシステム222として様々なバスが例示されている。
【００２８】
図3は、OFDM/OFDMAを利用するワイヤレス通信システム100内で使用されることができる送信機302の一例を例示している。送信機302は、ダウンリンク108上でユーザ端末106にデータ306を送信するために基地局104において実装されることができる。送信機302はまた、アップリンク110上で基地局104にデータ306を送信するためにユーザ端末106において実装されることができる。
【００２９】
送信されるデータ306は、直並列（S/P）変換器308への入力として提供されるよう図示されている。S/P変換器308は、送信データをN個の並列データストリーム310に分割する。
【００３０】
N個の並列データストリーム310は、次に、マッパー312への入力として提供されることができる。マッパー312は、N個のコンスタレーションポイント（信号点配置）上にN個の並列データストリーム310をマップすることができる。当該マッピングは、BPSK（2値位相シフトキーイング）、QPSK（直交位相シフトキーイング）、8PSK（8位相シフトキーイング）、QAM（直交振幅変調）などのようないくつかの変調コンスタレーションを使用してなされることができる。したがって、マッパー312は、N個の並列シンボルストリーム316を出力する。ここにおいて、各々のシンボルストリーム316は、IFFT（逆高速フーリエ変換）320のN個の直交サブキャリアのうちの１つに対応する。これらのN個の並列シンボルストリーム316は、周波数ドメインで表わされ、IFFTコンポーネント320によってN個の並列の時間ドメインのサンプルストリーム318に変換されることができる。
【００３１】
用語についての簡単な注意がこれから提供される。周波数ドメインにおけるN個の並列変調は、周波数ドメインにおけるN個の変調シンボルと等しい。当該N個の変調シンボルは、周波数ドメインにおけるN個のマッピングおよびNポイントIFFTと等しい。当該N個のマッピングおよびNポイントIFFTは、時間ドメインにおける１つの（有用な）OFDMシンボルと等しい。当該OFDMシンボルは、時間ドメインにおけるN個のサンプルと等しい。時間ドメインにおける１つのOFDMシンボル、Nsは、Ncp（OFDMシンボルごとのガードサンプルの数）+N（OFDMシンボルごとの有用なサンプルの数）と等しい。
【００３２】
N個の並列の時間ドメインのサンプルストリーム318は、並直列（P/S）変換器324によってOFDM/OFDMAシンボルストリーム322に変換されることができる。ガード挿入コンポーネント326は、OFDM/OFDMAシンボルストリーム322における連続するOFDM/OFDMAシンボルの間にガードインターバルを挿入することができる。ガード挿入コンポーネント326の出力は、次に、無線周波数（RF）フロントエンド328によって所望の送信周波数帯域にアップコンバートされることができる。アンテナ330は、次に、結果の信号332を送信することができる。
【００３３】
図3はまた、OFDM/OFDMAを利用するワイヤレス通信システム100内で使用されることができる受信機304の一例を例示している。受信機304は、ダウンリンク108上で基地局104からデータ206を受信するためのユーザ端末106において実装されてもよい。受信機304はまた、アップリンク110上でユーザ端末106からデータ306を受信するための基地局104において実装されてもよい。
【００３４】
送信信号332は、ワイヤレスチャネル334にわたって移動をしているよう図示されている。信号332’がアンテナ330’によって受信されるとき、受信信号332’は、RFフロントエンド328’によってベースバンド信号にダウンコンバートされることができる。ガード除去コンポーネント326’は、次に、ガード挿入コンポーネント326によってOFDM/OFDMAシンボルの間に挿入されたガードインターバルを除去することができる。
【００３５】
ガード除去コンポーネント326’の出力は、S/P変換器324’に提供されることができる。S/P変換器324’は、OFDM/OFDMAシンボルストリーム322’をN個の並列の時間ドメインのシンボルストリーム318’に分割することができる。ここにおいて、当該シンボルストリーム318’の各々は、N個の直交サブキャリアのうちの１つに対応する。高速フーリエ変換（FFT）コンポーネント320’は、N個の並列の時間ドメインのシンボルストリーム318’を周波数ドメインに変換し、N個の並列の周波数ドメインのシンボルストリーム316’を出力する。
【００３６】
デマッパー312’は、マッパー312によって実行されたシンボルマッピング・オペレーションの逆を実行する。それによって、N個の並列のデータストリーム310’を出力する。P/S変換器308’は、N個の並列のデータストリーム310’を単一のデータストリーム306’に結合する。理想的には、このデータストリーム306’は、送信機302への入力として提供されたデータ306に対応する。
【００３７】
ハイブリッドMIMO EXダイバーシティ方式
本件開示のある実施形態は、異なるダイバーシティ結合技術を利用する受信機ダイバーシティに対するハイブリッドアプローチを提供する。異なる技術を使用して生成される結合信号は、信号品質特徴に依存している方法で結合されることができる。例えば、特定のサブキャリアについての信号品質パラメーターが、ある技術を使用する方がその他の技術を使用するよりもより良い（例えば、より高いCINR）場合、より良い信号品質パラメーターという結果となる技術を使用して生成される結合信号は、ハイブリッド結合信号を生成するとき、より重く重み付けされてもよい。
【００３８】
他の例として、信号品質が干渉に支配されたチャネル特徴を示す場合、ビームフォーミングによって生成される結合信号は、ハイブリッド結合信号に、より重みを与えられるかもしれない。反対に、信号品質が雑音に支配されたチャネル特徴を示す場合、MRCによって生成される結合信号は、ハイブリッド結合信号に、より重みを与えられるかもしれない。
【００３９】
図3において図示されている受信機は、単一の受信アンテナを利用するのに対し、いくつかの受信機は、複数のパス伝いに受信された信号を結合することによって信号品質を改善するために複数の受信アンテナを利用することができる。図4は、ある実施形態にしたがって、信号品質を改善するために受信ダイバーシティを利用するそのような受信機400の一例を例示している。
【００４０】
例示されている一例において、受信機400が２つのアンテナ330（アンテナ0およびアンテナ1）を有しているのに対し、送信機は、単一のアンテナを有している。しかしながら、当業者であるならば、本件明細書において説明された技術が複数の送信アンテナおよび／または２つ以上の受信アンテナを利用するシステムにおいて適用されることができることを認識するだろう。
【００４１】
受信機において、各々のアンテナ0およびアンテナ1のパスを伝うRF論理428、ガード除去論理426、およびFFT論理420は、入力信号を処理する。これは、周波数ドメイン受信信号R0,kおよびR1,kを生成する（なお、k = 1, ..., Nである）。受信機400は、最後の結合信号Ekを生成するために周波数ドメイン受信信号を結合するためにハイブリッドアプローチを利用する結合論理450を含む。結合論理450は、複数の異なる結合技術に基づいて「ハイブリッド」結合信号を生成するための論理を含んでもよい。
【００４２】
例えば、結合論理450は、結合論理450は、最大比率結合（MRC）方式を利用する結合信号EMRC,Kを生成するためにRXダイバーシティ結合論理460およびビームフォーミング方式を利用する結合信号EBF,Kを生成するためにビームフォーミング論理470を含んでもよい。ハイブリッド結合論理490は、異なる結合技術を利用して生成される異なる結合信号に基づいて最後の結合信号EKを生成してもよい。
【００４３】
図5において例示されるように、RXダイバーシティ結合論理460は、チャネル推定論理464を含んでもよい。チャネル推定論理464は、例えば、既知のサブキャリアにおけるパイロットトーンおよび内挿処理を使用して任意の適切な方法でチャネル推定を実行してもよい。例示されているように、チャネル推定論理464は、両方のアンテナパスについてのチャネル推定を生成することができる。
【数１】
2011523281.tif 000003
【００４４】
RXダイバーシティ結合器462は、結合信号EMRC,Kを生成するために２つの受信信号R0,kおよびR1,kを結合するためにこれらのチャネル推定を利用することができる。EMRC,Kは、次のMRC方程式のような任意の適切な技術を使用して生成されてもよい。
【数２】
2011523281.tif 000004
【００４５】
図6において例示されているように、ビームフォーミング結合論理470は、ビームフォーミング重み付け計算論理474を含んでもよい。ビームフォーミング重み付け計算論理474は、１セットのビームフォーミング重み付けW0,kおよびW1,kを生成することができる。
【数３】
2011523281.tif 000005
【００４６】
ビームフォーミングダイバーシティ結合器472は、結合信号EBF,Kを生成するために２つの受信信号R0,kとR1,kとを結合するためにこれらのビームフォーミング重み付けを利用することができる。EBF,Kは、次の方程式のような任意の適切な技術を使用して生成されることができる。
【数４】
2011523281.tif 000006
【００４７】
図7は、本件開示のある実施形態にしたがって、例えば、EMRC,ｋおよびEBF,ｋに基づいてハイブリッド結合信号を生成するためのオペレーションの一例を例示している。当該オペレーションは、例えば、図4において例示されている論理コンポーネントによって行われてもよい。
【００４８】
オペレーション700は、702において、少なくとも２つのアンテナにより信号を受信することによって開始する。704および706において、受信信号は、第1および第2の結合信号を生成するためにビームフォーミングおよび受信ダイバーシティ（例えば、MRC）技術をそれぞれ使用して別々に処理される。708において信号品質が測定され、および710において、信号品質測定の関数として第1および第2の結合信号を結合することによってハイブリッド結合信号が生成される。
【００４９】
上で説明された図7のオペレーション700は、図7Aにおいて例示されている手段および機能ブロック700に対応する様々なハードウェアおよび／またはソフトウェアコンポーネント（複数）および／またはモジュール（複数）によって実行されてもよい。言い換えると、図7において例示されているブロック702ないし710は、図7Aにおいて例示されている手段および機能ブロック702Aないし710Aに対応する。
【００５０】
ハイブリッド結合信号は、任意の適切な論理を使用して生成されてもよい。例えば、図4を再び参照して、結合MRCおよびビームフォーミング信号、EMRC,ｋおよびEBF,ｋは、ハイブリッドMIMO結合論理490に供給されてもよい。ハイブリッドMIMO結合論理490は、これらの信号の選択および／または組合せに基づいて最後の結合信号Ekを生成することができる。ハイブリッドMIMO結合論理490は、様々な異なる方式のうちの1つまたはこれらの方式の組合せを使用して最後の結合信号EKを生成することができる。
【００５１】
例えば、いくつかの実施形態の場合、ハイブリッドMIMO結合論理490は、受信信号R0,kおよびR1,kの1つまたは複数の信号品質測定に基づいて最後の結合信号Ekを生成することができる。例示されているように、HYBRID MIMO論理450は、キャリアレベル対雑音比（CNR）推定およびキャリアレベル対干渉比（CIR）推定に基づいて1セットのハイブリッド重み付け（FMRC,ｋおよびFBF,ｋ）を生成する信号品質推定論理480を含んでもよい。重み付け値は、MRC結合技術によって生成される結合信号EMRC,ｋまたはビームフォーミングによって生成される結合信号EBF,ｋの個別のサブキャリアコンポーネントに適用されることができるマトリックスの値のような任意の適切なフォーマットで計算されてもよい。
【００５２】
いくつかの実施形態の場合、ハイブリッド重み付けは、信号品質推定に依存して、EMRC,ｋまたはEBF,ｋのいずれかに対してより多くの重み付けを与える方法で計算されてもよい。例えば、チャネル状態が雑音に支配される（CIR > CNR）場合、EMRC,ｋは、MRC方式が、典型的に、雑音の多い環境においてビームフォーミング（BF）方式よりも良い実行をするので、EBF,ｋよりも重く重み付けされてもよい。これに対して、チャネル状態が干渉に支配される（CNR > CIR）場合、EBF,ｋは、BF方式が、典型的に、干渉に支配された環境においてMRC方式よりも良い実行をするので、EMRC,ｋよりも重く重み付けされてもよい。いくつかの実施形態の場合、所与のサブキャリアｋのための重み付けは、例えば、ｋ番目のサブキャリア自身における単一の値ではなく、サブキャリアｋの周辺を推定する信号品質の「ウィンドウ」を計算する平均に基づいて生成されてもよい。
【００５３】
いくつかの実施形態の場合、信号全体の最善という結果となる技術によって生成される結合信号の選択としてハイブリッド結合信号を生成するために「最善の選択」方式が利用されてもよい。例えば、キャリアレベル対干渉／雑音比（CINR）の値は、別々の結合信号のために計算されてもよく、最善のCINR値を備える信号は、ハイブリッド信号として（例えば、適切な重み付け値を「0」または「1」に設定することによって）選択されてもよい。
【００５４】
図8は、ある実施形態にしたがって、ハイブリッド結合信号を生成することに対する最善の選択アプローチのためのオペレーション800の一例を例示する。例示されているように、当該オペレーションは、サブキャリアベースで実行されてもよい。例えば、802において、最善のCINRを有する、対応する結合信号EMRC,ｋまたはEBF,ｋを選択するために各々のサブキャリアに対してオペレーションループ804-810が実行されてもよい。言い換えると、当該結果に依存して、1つの技術を使用して生成される結合信号がいくつかのサブキャリアのために選択されることができるのに対して、異なる技術を使用して生成される結合信号は、別のサブキャリアのために選択されてもよい。
【００５５】
804において、別々のCINR測定、CINRMRCおよびCINRBFは、受信ダイバーシティ（例えば、MRC）およびビームフォーミング技術をそれぞれ使用して結合信号のために計算される。806において決定されるように、CINRMRC,kがCINRMRC,ｋよりも大きい場合、EMRC,kは、808においてハイブリッド結合信号として選択されてもよい。これに対して、CINRBFがCINRMRCよりも大きい場合、EBF,ｋは、810においてハイブリッド結合信号として選択されてもよい。このアプローチは、次の方程式によって要約されることができる。
【数５】
2011523281.tif 000007
【００５６】
図9Aおよび9Bは、EMRC,ｋおよびEBF,ｋをそれぞれ選択するために適用される最善選択技術を例示している。図9Aにおいて例示されているように、CINRMRC,k > CINRBF,kのとき、ハイブリッド重み付けFMRC,kおよびFBF,kは、EkとしてEMRC,kを効率的に選択し、EBF,kによっていずれの寄与部分もゼロにする方法で生成されてもよい。図9Bにおいて例示されているように、CINRBF,k > CINRMRC,kのとき、ハイブリッド重み付けFMRC,ｋおよびFBF,ｋは、EkとしてEBF,kを効率的に選択し、EMRC,ｋによっていずれの寄与部分もゼロにする方法で生成されてもよい。
【００５７】
最善の選択方式に対する代替として、異なる結合技術を使用して生成される別々の結合信号の関数としてハイブリッド結合信号を生成する様々な他のハイブリッド結合方式が利用されてもよい。例えば、1つの方式は、結合信号EMRC,ｋおよびEBF,ｋの両方についてのCINR推定の関数としてハイブリッド結合信号を生成するために最大比率結合方程式と類似する形式の方程式を利用してもよい。
【数６】
2011523281.tif 000008
【００５８】
この方程式において、CINRMRC,kは、MRC結合信号EMRC,kのｋ番目のサブキャリアのCINR測定であり、CINRBF,kは、BF結合信号EMRC,kのｋ番目のサブキャリアのCINRである。いくつかの実施形態の場合、CINRMRC,kおよびCINRBF,kの値はまた、例えば、ｋ番目のサブキャリア自身における単一の値ではなく、ｋ番目のサブキャリアを中心とする値の「ウィンドウ」内で平均化されてもよい。
【００５９】
他の代替として、異なる結合技術を使用して生成される別々の結合信号に対して同等の重み付けを付与する同等利得ハイブリッド結合方式が利用されてもよい。例えば、そのような方式は、次のようにMRCおよびBF結合信号を平均化してもよい。
【数７】
2011523281.tif 000009
【００６０】
いくつかの実施形態の場合、異なる結合信号に適用される重み付けは、チャネル状態の理由を説明するために変化させられてもよい。そのような方式において、次の方程式にしたがって最後のハイブリッド結合信号が生成されてもよい。
【数８】
2011523281.tif 000010
【００６１】
この方程式において、FMRC,ｋは、MRC結合信号EMRC,kのｋ番目のサブキャリアに適用される重み付けファクターであり、FBF,ｋは、BF結合信号EBF,ｋのｋ番目のサブキャリアに適用される重み付けファクターである。前述のように、重み付けファクターを計算するための１つのアプローチは、CNRおよびCIRチャネル推定に基づく。例えば、推定されたCNRとCIRとの比較が、チャネルが雑音によって支配されていることを示す場合、MRC方式は、典型的に、雑音の多い環境においてBF方式よりも良い実行をするので、MRC重み付け値は、BF重み付け値よりも大きくされてもよい。これに対し、推定されたCNRとCIRとの比較が、チャネルが干渉によって支配されていることを示す場合、BF方式は、典型的に、干渉によって支配されているチャネルにおいてMRC方式よりも良い実行をするので、BF重み付け値は、MRC重み付け値よりも大きくされてもよい。
【００６２】
ハイブリッドMIMO TXダイバーシティ方式
本件開示のある実施形態はまた、異なる送信ダイバーシティ技術をも利用する送信ダイバーシティに対するアプローチを提供する。例えば、異なる送信ダイバーシティ方式は、受信デバイス（例えば、移動局）によって送信機にフィードバックされる信号品質の関数として決定される方法で利用されてもよい。
【００６３】
図10は、本件発明の実施形態にしたがって、ハイブリッドダイバーシティ送信方式を利用して信号を送信することができる送信機1000を例示している。例示されている一例において、送信機1000が２つのアンテナ1030を有しているのに対し、受信機は、単一のアンテナを有している。つまり、２つの可能なワイヤレスチャネルｈ0およびｈ1がある。しかしながら、当業者であるならば、本件明細書において説明された技術は、複数の受信機アンテナおよびまたは２つ以上の送信アンテナを利用するシステムに適用することができることを認識するだろう。さらに、いくつかの送信ダイバーシティ方式は、例えば、時間および／または周波数ダイバーシティを利用する単一の送信アンテナを利用することができる。いくつかの実施形態は、単一のアンテナを使用するハイブリッド送信ダイバーシティを実行するためにそのような方式を結合することができる。
【００６４】
図10において例示されているように、送信機1000は、異なる方式にしたがって送信ダイバーシティを実行するための論理を有してもよい。例えば、送信機は、これらの方式にしたがって、別々の送信ダイバーシティ信号を生成するために時空符号（STC）ダイバーシティ論理1010およびTXビームフォーミング（BF）ダイバーシティ論理1020を有してもよい。送信機は、その論理によって生成される信号に基づいてハイブリッドダイバーシティ送信信号（T0,kおよびT1,k）を生成するための論理を含んでもよい。いくつかの実施形態の場合、そのような論理は、１つまたは複数の重み付けの値を生成することができ、異なるダイバーシティ技術によって生成される信号を結合することによって送信ダイバーシティ信号を生成することができる。いくつかの実施形態の場合、当該技術のうちの１つによって生成される送信ダイバーシティ信号は、ハイブリッドダイバーシティ信号として選択されてもよい。
【００６５】
例えば、図10において例示されているように、ハイブリッドTX選択器論理1040は、送信機にフィードバックされる信号品質測定に基づいて、STCダイバーシティ論理1010またはBFダイバーシティ論理1020のいずれかによって生成される送信ダイバーシティ信号を選択するために１つまたは複数の信号を生成するように構成されていてもよい。例えば、ハイブリッドTX選択器は、その受信機についてのキャリアレベル対雑音比および／またはキャリアレベル対干渉比（CNRjおよび／またはCIRj）のようなその受信機から受信される信号品質測定にしたがってj番目の受信機のためのダイバーシティ送信方法を決定することができる。
【００６６】
図11は、例えば、送信機1000のコンポーネントによって実行されることができるハイブリッド送信ダイバーシティのためのオペレーション1100の一例を例示している。当該オペレーションは、1100において、CIRおよびCNR測定のような受信機ｊからの信号品質測定を受信することによって開始する。
【００６７】
CNRjがCIRjよりも大きい場合、1102において決定されるように、1104において、ビームフォーミング方式を使用してデータが送信されることができる。これは、干渉に支配されたチャネルの場合のパフォーマンスを改善するという結果となる。これに対して、CIRjがCNRjよりも大きい場合、1106において、STCダイバーシティ方式を使用してデータが送信されることができる。これは、雑音に支配されたチャネルの場合のパフォーマンスを改善するという結果となる。
【００６８】
この選択アプローチは、図12Aおよび12Bにおいて例示されており、また、次の方程式によって要約される。
【数９】
2011523281.tif 000011
【００６９】
図12Aは、受信機から受信される信号品質パラメーターが雑音に支配されたチャネル環境（CIRj > CNRj）を示す場合の状況を例示している。結果として、ハイブリッド選択論理1040は、STCダイバーシティ論理1010によって生成される送信ダイバーシティ信号を選択するために信号を生成することができる。図12Bは、受信機から受信される信号品質パラメーターが干渉に支配されたチャネル環境(CNRj > CIRj)を示す場合の状況を例示している。結果として、ハイブリッド選択論理1040は、BFダイバーシティ論理1020によって生成されるビームフォーム信号を選択するために信号を生成することができる。
【００７０】
ハイブリッド選択論理は、信号品質測定に基づいて適正なダイバーシティ信号を選択するために任意の適切な信号を生成することができる。例えば、ハイブリッド選択論理は、「選択されなかった」ダイバーシティ論理が自身のダイバーシティ信号を出力することを防ぐ信号を生成することができる。他の事例として、ハイブリッド選択論理は、「選択された」方式によって生成されるダイバーシティ信号を選択的に出力するマルチプレクサー（図示されていない）を制御するための信号を生成することができる。
【００７１】
本件明細書において使用されるように、用語「決定すること(determining)」は、広い様々な動作を含む。例えば、「決定すること(determining)」は、計算すること(calculating)、コンピュータ計算すること(computing)、処理すること(processing)、導き出すこと(deriving)、調査すること(investigating)、ルックアップすること(looking up)（例えば、テーブル、データベース、または他のデータ構造をルックアップすること）、確かめること(ascertaining)などを含んでもよい。また、「決定すること(determining)」は、受信すること(receiving)（例えば、情報を受信すること）、アクセスすること(accessing)（例えば、メモリ内のデータにアクセスすること）などを含んでもよい。また、「決定すること(determining)」は、解くこと(resolving)、選択すること(selecting)、選ぶこと(choosing)、確立すること(establishing)などを含んでもよい。
【００７２】
情報および信号は、様々な異なる技術および技法のうちのいずれかを使用して表わされてもよい。例えば、上記説明全体を通じて参照されることができるデータ、命令、コマンド、情報、信号などは、電圧、電流、電磁波、磁場または磁粒子、光波動場または光粒子、またはこれらのものの任意の組み合わせによって表わされることができる。
【００７３】
本件開示に関連して説明された様々な例示的な論理ブロック、モジュール、および回路は、汎用目的プロセッサ、デジタル信号プロセッサ（DSP）、特定用途集積回路（ASIC）、フィールドプログラマブルゲートアレイ（FPGA）または他のプログラマブル論理デバイス（PLD）、離散的ゲートまたはトランジスタ論理、離散的ハードウェアコンポーネント、またはこれらのものの任意の組み合わせであって、本件明細書記載の機能を実行するように設計されたものによって実装または実行されることができる。汎用目的プロセッサは、マイクロプロセッサであってもよいが、その代わりに、任意の産業上利用可能なプロセッサ、コントローラ、マイクロコントローラ、または状態機械であってもよい。プロセッサは、コンピュータ計算デバイスの組み合わせとして、例えば、DSPとマイクロプロセッサとの組み合わせ、複数のマイクロプロセッサ、DSPコアと結合した1つまたは複数のマイクロプロセッサ、または他の任意の同様の機器構成として、実装されることもできる。
【００７４】
本件開示に関連して説明された方法またはアルゴリズムのステップは、ハードウェア、プロセッサによって実行されるソフトウェアモジュール、またはその2つの組み合わせにおいて直接具体化されることができる。ソフトウェアモジュールは、当該技術分野において知られている任意の形式の記憶媒体の中に在ることができる。記憶媒体のいくつかの例は、RAMメモリ、フラッシュメモリ、ROMメモリ、EPROMメモリ、EEPROMメモリ、レジスタ、ハードディスク、リムーバルディスク、CD-ROMなどを含んで使用されてもよい。ソフトウェアモジュールは、単一の命令、または多くの命令を具備してもよく、およびいくつかの異なるコードセグメント上、異なるプログラムの間、および複数の記憶媒体にわたって分散されることができる。記憶媒体は、プロセッサが記憶媒体から情報を読み出す、または記憶媒体に情報を書き込むことができるように、プロセッサと結合されていてもよい。そのかわりに、記憶媒体がプロセッサと一体化されていてもよい。
【００７５】
本件明細書において開示された方法は、説明された方法を達成するための1つまたは複数のステップまたは動作を具備する。当該方法、ステップ、および／または動作は、特許請求の範囲から逸脱しない範囲で相互に交換されることができる。言い換えると、ステップまたは動作の固有の順番が明記されない限り、順番および／または固有のステップおよび／または動作の使用は、特許請求の範囲を逸脱しない範囲で修正されることができる。
【００７６】
説明された機能は、ハードウェア、ソフトウェア、ファームウェア、またはこれらのものの任意の組み合わせにおいて実装されることができる。ソフトウェアにおいて実装される場合、当該機能は、命令として、または1つまたは複数のセットの命令としてコンピュータ可読媒体または記憶媒体上に記憶されることができる。記憶媒体は、コンピュータまたは1つまたは複数の処理デバイスによってアクセスされることができる任意の利用可能な媒体であってもよい。実例として、次のものには制限されないが、そのようなコンピュータ可読媒体は、RAM、ROM、EEPROM、CD-ROMまたは他の光ディスク記憶、磁気ディスク記憶または他の磁気記憶デバイス、または任意の他の媒体であって、コンピュータによってアクセス可能な命令またはデータ構造の形式で所望のプログラムコードを搬送または記憶するために使用されることができる媒体を具備することができる。本件明細書において使用されているようなディスク（diskおよびdisc）は、コンパクトディスク（CD）、レーザディスク、光ディスク、デジタル汎用ディスク（DVD）、フレキシブルディスク、およびブルーレイ（登録商標）ディスクを含む。なお、ディスク（disc）がレーザにより光学的にデータを再生するのに対し、ディスク（disk）は、通常磁気的にデータを再生する。
【００７７】
ソフトウェアまたは命令はまた、送信媒体上で送信されてもよい。例えば、ソフトウェアが、同軸ケーブル、光ファイバーケーブル、より対線、デジタル加入者ライン（DSL）、またはワイヤレス技術（例えば、赤外線、無線、および電磁波）を使用して、ウェブサイト、サーバー、または他の遠隔ソースから送信される場合、当該同軸ケーブル、光ファイバーケーブル、より対線、ＤＳＬ、またはワイヤレス技術（例えば、赤外線、無線、および電磁波）は、媒体の定義に含まれる。
【００７８】
さらに、本件明細書記載の方法および技術を実行するためのモジュールおよび／または他の適切な手段は、ダウンロードされることができおよび／またはそうでなければ、適用可能なものとしてモバイルデバイスおよび／または基地局によって得られることができることが認識されるべきである。例えば、そのようなデバイスは、本件明細書記載の方法を実行するための手段の送信を容易にするためにサーバーに結合されることができる。代替的に、本件明細書記載の様々な方法は、モバイルデバイスおよび／または基地局がデバイスへの記憶手段を結合または提供することに基づく様々な方法を得ることができるように記憶手段（例えば、RAM（ランダムアクセスモメリー）、ROM（読み出し専用メモリ）、コンパクトディスク（CD）またはフレキシブルディスクなどのような物理記憶媒体）によって提供されることができる。さらに、本件明細書記載の方法および技術をデバイスに提供するための任意の他の適切な技術が利用されることができる。
【００７９】
特許請求の範囲は、上で例示された寸分違わない構成およびコンポーネントに制限されないことが理解される。特許請求の範囲から逸脱することの範囲で上に記載された方法および装置のアレンジメント、オペレーション、および詳細において、様々な修正、変更、およびバリエーションがなされることができる。
【図１】
2011523281.tif 000012
【図２】
2011523281.tif 000013
【図３】
2011523281.tif 000014
【図４】
2011523281.tif 000015
【図５】
2011523281.tif 000016
【図６】
2011523281.tif 000017
【図７】
2011523281.tif 000018
【図７Ａ】
2011523281.tif 000019
【図８】
2011523281.tif 000020
【図９Ａ】
2011523281.tif 000021
【図９Ｂ】
2011523281.tif 000022
【図１０】
2011523281.tif 000023
【図１１】
2011523281.tif 000024
【図１２Ａ】
2011523281.tif 000025
【図１２Ｂ】
2011523281.tif 000026
【手続補正書】
【提出日】平成23年1月20日(2011.1.20)
【手続補正１】
【補正対象書類名】特許請求の範囲
【補正対象項目名】全文
【補正方法】変更
【補正の内容】
【特許請求の範囲】
【請求項１】
受信ダイバーシティ処理を実行するための方法であって、
第１および第２のアンテナにより第１および第２の信号をそれぞれ受信することと、
第１の結合信号を生成するために第１のダイバーシティ結合方式を使用して前記第１および第２の信号を結合することと、
第２の結合信号を生成するために第２のダイバーシティ結合方式を使用して前記第１および第２の信号を結合することと、
少なくとも１つの信号品質測定を計算することと、
前記信号品質測定に基づいて第１および第２のセットの重み付け値を生成することと、および
前記第１の結合信号に適用される前記第１の重み付け値と前記第２の結合信号に適用される前記第２の重み付け値との重み付けの和の関数としてハイブリッド結合信号を生成することと
を具備する方法。
【請求項２】
前記第１のダイバーシティ結合方式は、ビームフォーミングダイバーシティ方式を具備する、請求項１に記載の方法。
【請求項３】
前記第２のダイバーシティ結合方式は、最大比率結合（MRC）方式を具備する、請求項２に記載の方法。
【請求項４】
前記信号品質測定が、チャネル状態が雑音によって支配されていると示す場合、前記第１の結合信号からの寄与をより多くして前記ハイブリッド結合信号を生成することと、および
前記信号品質測定が、チャネル状態が干渉によって支配されていると示す場合、前記第２の結合信号からの寄与をより多くして前記ハイブリッド結合信号を生成することと
をさらに具備する請求項３に記載の方法。
【請求項５】
前記ハイブリッド結合信号を生成することは、前記ハイブリッド結合信号として前記第１および第２の結合信号のうちの１つを選択することを具備する、請求項１に記載の方法。
【請求項６】
受信ダイバーシティ処理を実行するための装置であって、
第１の結合信号を生成するために第１のダイバーシティ結合方式を使用して第１および第２のアンテナによりそれぞれ受信される第１および第２の信号を結合するように構成されている第１の結合論理モジュールと、
第２の結合信号を生成するために第２のダイバーシティ結合方式を使用して前記第１および第２の信号を結合するように構成されている第２の結合論理モジュールと、
少なくとも１つの信号品質測定を計算するように構成されている信号品質論理モジュールと、
前記信号品質測定に基づいて第１および第２のセットの重み付け値を生成するように構成されている重み付け生成論理モジュールと、および
前記第１の結合信号に適用される前記第１の重み付け値と前記第２の結合信号に適用される前記第２の重み付け値との重み付けの和の関数としてハイブリッド結合信号を生成するように構成されているハイブリッド論理モジュールと
を具備する装置。
【請求項７】
前記第１のダイバーシティ結合方式は、ビームフォーミングダイバーシティ方式を具備する、請求項６に記載の装置。
【請求項８】
前記第２のダイバーシティ結合方式は、最大比率結合（MRC）方式を具備する、請求項７に記載の装置。
【請求項９】
前記ハイブリッド論理モジュールは、前記信号品質測定が、チャネル状態が雑音によって支配されていると示す場合、前記第１の結合信号からの寄与をより多くして前記ハイブリッド結合信号を生成し、前記信号品質測定が、チャネル状態が干渉によって支配されていると示す場合、前記第２の結合信号からの寄与をより多くして前記ハイブリッド結合信号を生成するようにさらに構成されている、請求項８に記載の装置。
【請求項１０】
前記ハイブリッド論理モジュールは、前記ハイブリッド結合信号として前記第１および第２の結合信号のうちの１つを選択することによって前記ハイブリッド結合信号を生成するように構成されている、請求項６に記載の装置。
【請求項１１】
受信ダイバーシティ処理を実行するための装置であって、
第１および第２のアンテナにより第１および第２の信号をそれぞれ受信するための手段と、
第１の結合信号を生成するために第１のダイバーシティ結合方式を使用して前記第１および第２の信号を結合するための手段と、
第２の結合信号を生成するために第２のダイバーシティ結合方式を使用して前記第１および第２の信号を結合するための手段と、
少なくとも１つの信号品質測定を計算するための手段と、
前記信号品質測定に基づいて第１および第２のセットの重み付け値を生成するための手段と、および
前記第１の結合信号に適用される前記第１の重み付け値と前記第２の結合信号に適用される前記第２の重み付け値との重み付けの和の関数としてハイブリッド結合信号を生成するための手段と
を具備する装置。
【請求項１２】
前記第１のダイバーシティ結合方式は、ビームフォーミングダイバーシティ方式を具備する、請求項１１に記載の装置。
【請求項１３】
前記第２のダイバーシティ結合方式は、最大比率結合（MRC）方式を具備する、請求項１２に記載の装置。
【請求項１４】
前記ハイブリッド結合信号を生成するための前記手段は、前記信号品質測定が、チャネル状態が雑音によって支配されていると示す場合、前記第１の結合信号からの寄与をより多くして前記ハイブリッド結合信号を生成し、前記信号品質測定が、チャネル状態が干渉によって支配されていると示す場合、前記第２の結合信号からの寄与をより多くして前記ハイブリッド結合信号を生成するようにさらに構成されている、請求項１３に記載の装置。
【請求項１５】
前記ハイブリッド結合信号を生成するための前記手段は、前記ハイブリッド結合信号として前記第１および第２の結合信号のうちの１つを選択するように構成されている、請求項１１に記載の装置。
【請求項１６】
受信ダイバーシティ処理を実行することができるワイヤレス受信デバイスであって、
第１および第２の信号をそれぞれ受信するための第１および第２のアンテナと、
第１の結合信号を生成するために第１のダイバーシティ結合方式を使用して前記第１および第２の信号を結合するように構成されている第１の結合論理モジュールと、
第２の結合信号を生成するために第２のダイバーシティ結合方式を使用して前記第１および第２の信号を結合するように構成されている第２の結合論理モジュールと、
少なくとも１つの信号品質測定を計算するように構成されている信号品質論理モジュールと、
前記信号品質測定に基づいて第１および第２のセットの重み付け値を生成するように構成されている重み付け生成論理モジュールと、および
前記第１の結合信号に適用される前記第１の重み付け値と前記第２の結合信号に適用される前記第２の重み付け値との重み付けの和の関数としてハイブリッド結合信号を生成するように構成されているハイブリッド論理モジュールと
を具備するデバイス。
【請求項１７】
前記第１のダイバーシティ結合方式は、ビームフォーミングダイバーシティ方式を具備する、請求項１６に記載のデバイス。
【請求項１８】
前記第２のダイバーシティ結合方式は、最大比率結合（MRC）方式を具備する、請求項１７に記載のデバイス。
【請求項１９】
前記ハイブリッド論理モジュールは、前記信号品質測定が、チャネル状態が雑音によって支配されていると示す場合、前記第１の結合信号からの寄与をより多くして前記ハイブリッド結合信号を生成し、前記信号品質測定が、チャネル状態が干渉によって支配されていると示す場合、前記第２の結合信号からの寄与をより多くして前記ハイブリッド結合信号を生成するようにさらに構成されている、請求項１８に記載のデバイス。
【請求項２０】
１セットの命令を内蔵するコンピュータ可読媒体を具備する受信ダイバーシティ処理を実行するためのコンピュータプログラムプロダクトであって、命令の前記セットは、１つまたは複数のプロセッサによって実行され、命令の前記セットは、
第１および第２のアンテナにより第１および第２の信号をそれぞれ受信するための命令と、
第１の結合信号を生成するために第１のダイバーシティ結合方式を使用して前記第１および第２の信号を結合するための命令と、
第２の結合信号を生成するために第２のダイバーシティ結合方式を使用して前記第１および第２の信号を結合するための命令と、
少なくとも１つの信号品質測定を計算するための命令と、
前記信号品質測定に基づいて第１および第２のセットの重み付け値を生成するための命令と、および
前記第１の結合信号に適用される前記第１の重み付け値と前記第２の結合信号に適用される前記第２の重み付け値との重み付けの和の関数としてハイブリッド結合信号を生成するための命令と
を具備する、コンピュータプログラムプロダクト。
【請求項２１】
前記第１および第２のダイバーシティ結合方式のうちの少なくとも１つは、ビームフォーミングダイバーシティ方式を具備し、および前記第１および第２のダイバーシティ結合方式のうちの少なくとも１つは、最大比率結合（MRC）方式を具備する、請求項２０に記載のコンピュータプログラムプロダクト。
【請求項２２】
前記信号品質測定が、チャネル状態が雑音によって支配されていると示す場合、前記第１の結合信号からの寄与をより多くして前記ハイブリッド結合信号を生成するための命令と、および
前記信号品質測定が、チャネル状態が干渉によって支配されていると示す場合、前記第２の結合信号からの寄与をより多くして前記ハイブリッド結合信号を生成するための命令と
をさらに具備する請求項２１に記載のコンピュータプログラムプロダクト。
【請求項２３】
送信ダイバーシティ処理を実行するための方法であって、
１つまたは複数の信号品質測定を受信することと、
前記信号品質測定に基づいて第１および第２のセットの重み付け値を生成することと、
第１の送信ダイバーシティ方式によって生成される前記信号に適用される前記第１の重み付け値と第２の送信ダイバーシティ方式によって生成される前記信号に適用される前記第２の重み付け値との重み付けの和としてハイブリッド送信ダイバーシティ信号を生成することと、および
前記ハイブリッド送信ダイバーシティ信号を送信することと
を具備する方法。
【請求項２４】
前記第１の送信ダイバーシティ方式は、ビームフォーミング送信ダイバーシティ方式を具備する、請求項２３に記載の方法。
【請求項２５】
前記第２の送信ダイバーシティ方式は、時空符号化（STC）送信ダイバーシティ方式を具備する、請求項２４に記載の方法。
【請求項２６】
前記受信された１つまたは複数の信号品質測定が、チャネル環境が干渉によって支配されていると示す場合、前記第１の送信ダイバーシティ方式にしたがってハイブリッド送信ダイバーシティ信号を送信することと、および
前記受信された１つまたは複数の信号品質測定が、前記チャネル環境が雑音によって支配されていると示す場合、前記第２の送信ダイバーシティ方式にしたがってハイブリッド送信ダイバーシティ信号を送信することと
をさらに具備する請求項２５に記載の方法。
【請求項２７】
送信ダイバーシティ処理を実行するための装置であって、
１つまたは複数の信号品質測定を受信するように構成されている受信論理モジュールと、
前記信号品質測定に基づいて第１および第２のセットの重み付け値を生成するように構成されている重み付け生成論理モジュールと、
第１の送信ダイバーシティ方式によって生成される前記信号に適用される前記第１の重み付け値と第２の送信ダイバーシティ方式によって生成される前記信号に適用される前記第２の重み付け値との重み付けの和としてハイブリッド送信ダイバーシティ信号を生成するように構成されているハイブリッド論理モジュールと、および
前記ハイブリッド送信ダイバーシティ信号を送信するように構成されている送信論理モジュールと
を具備する装置。
【請求項２８】
前記第１の送信ダイバーシティ方式は、ビームフォーミング送信ダイバーシティ方式を具備する、請求項２７に記載の装置。
【請求項２９】
前記第２の送信ダイバーシティ方式は、時空符号化（STC）送信ダイバーシティ方式を具備する、請求項２８に記載の装置。
【請求項３０】
前記送信論理モジュールは、
前記受信された１つまたは複数の信号品質測定が、チャネル環境が干渉によって支配されていると示す場合、前記第１の送信ダイバーシティ方式にしたがってハイブリッド送信ダイバーシティ信号を送信し、
前記受信された１つまたは複数の信号品質測定が、前記チャネル環境が雑音によって支配されていると示す場合、前記第２の送信ダイバーシティ方式にしたがってハイブリッド送信ダイバーシティ信号を送信する
ようにさらに構成されている、請求項２９に記載の装置。
【請求項３１】
送信ダイバーシティ処理を実行するための装置であって、
１つまたは複数の信号品質測定を受信するための手段と、
前記信号品質測定に基づいて第１および第２のセットの重み付け値を生成するための手段と、
第１の送信ダイバーシティ方式によって生成される前記信号に適用される前記第１の重み付け値と第２の送信ダイバーシティ方式によって生成される前記信号に適用される前記第２の重み付け値との重み付けの和としてハイブリッド送信ダイバーシティ信号を生成するための手段と、および
前記ハイブリッド送信ダイバーシティ信号を送信するための手段と
を具備する装置。
【請求項３２】
前記第１の送信ダイバーシティ方式は、ビームフォーミング送信ダイバーシティ方式を具備する、請求項３１に記載の装置。
【請求項３３】
前記第２の送信ダイバーシティ方式は、時空符号化（STC）送信ダイバーシティ方式を具備する、請求項３２に記載の装置。
【請求項３４】
前記受信された１つまたは複数の信号品質測定が、チャネル環境が干渉によって支配されていると示す場合、前記第１の送信ダイバーシティ方式にしたがってハイブリッド送信ダイバーシティ信号を送信するための手段と、および
前記受信された１つまたは複数の信号品質測定が、前記チャネル環境が雑音によって支配されていると示す場合、前記第２の送信ダイバーシティ方式にしたがってハイブリッド送信ダイバーシティ信号を送信するための手段と
をさらに具備する請求項３３に記載の装置。
【請求項３５】
送信ダイバーシティ処理を実行することができるワイヤレス送信デバイスであって、
１つまたは複数の信号品質測定を受信するように構成されている受信論理モジュールに結合されている少なくとも１つのアンテナと、
前記信号品質測定に基づいて第１および第２のセットの重み付け値を生成するように構成されている重み付け生成論理モジュールと、
第１の送信ダイバーシティ方式によって生成される前記信号に適用される前記第１の重み付け値と第２の送信ダイバーシティ方式によって生成される前記信号に適用される前記第２の重み付け値との重み付けの和としてハイブリッド送信ダイバーシティ信号を生成するように構成されているハイブリッド論理モジュールと、および
前記少なくとも１つのアンテナに結合され、前記ハイブリッド送信ダイバーシティ信号を送信するように構成されている送信論理モジュールと
を具備するデバイス。
【請求項３６】
前記第１の送信ダイバーシティ方式は、ビームフォーミング送信ダイバーシティ方式を具備する、請求項３５に記載のデバイス。
【請求項３７】
前記第２の送信ダイバーシティ方式は、時空符号化（STC）送信ダイバーシティ方式を具備する、請求項３６に記載のデバイス。
【請求項３８】
前記送信論理モジュールは、
前記受信された１つまたは複数の信号品質測定が、チャネル環境が干渉によって支配されていると示す場合、前記第１の送信ダイバーシティ方式にしたがってハイブリッド送信ダイバーシティ信号を送信し、および
前記受信された１つまたは複数の信号品質測定が、前記チャネル環境が雑音によって支配されていると示す場合、前記第２の送信ダイバーシティ方式にしたがってハイブリッド送信ダイバーシティ信号を送信するようにさらに構成されている、請求項３７に記載のデバイス。
【請求項３９】
１セットの命令を内蔵するコンピュータ可読媒体を具備する送信ダイバーシティ処理を実行するためのコンピュータプログラムプロダクトであって、命令の前記セットは、１つまたは複数のプロセッサによって実行され、命令の前記セットは、
１つまたは複数の信号品質測定を受信するための命令と、
前記信号品質測定に基づいて第１および第２のセットの重み付け値を生成するための命令と、
第１の送信ダイバーシティ方式によって生成される前記信号に適用される前記第１の重み付け値と第２の送信ダイバーシティ方式によって生成される前記信号に適用される前記第２の重み付け値との重み付けの和としてハイブリッド送信ダイバーシティ信号を生成するための命令と、および
前記ハイブリッド送信ダイバーシティ信号を送信するための命令と
を具備するコンピュータプログラムプロダクト。
【請求項４０】
前記第１の送信ダイバーシティ方式は、ビームフォーミング送信ダイバーシティ方式を具備する、請求項３９に記載のコンピュータプログラムプロダクト。
【請求項４１】
前記第２の送信ダイバーシティ方式は、時空符号化（STC）送信ダイバーシティ方式を具備する、請求項４０に記載のコンピュータプログラムプロダクト。
【請求項４２】
前記受信された１つまたは複数の信号品質測定が、チャネル環境が干渉によって支配されていると示す場合、前記第１の送信ダイバーシティ方式にしたがってハイブリッド送信ダイバーシティ信号を送信するための命令と、および
前記受信された１つまたは複数の信号品質測定が、前記チャネル環境が雑音によって支配されていると示す場合、前記第２の送信ダイバーシティ方式にしたがってハイブリッド送信ダイバーシティ信号を送信するための命令と
をさらに具備する、請求項４１に記載のコンピュータプログラムプロダクト。
【手続補正２】
【補正対象書類名】明細書
【補正対象項目名】００７９
【補正方法】変更
【補正の内容】
【００７９】
特許請求の範囲は、上で例示された寸分違わない構成およびコンポーネントに制限されないことが理解される。特許請求の範囲から逸脱することの範囲で上に記載された方法および装置のアレンジメント、オペレーション、および詳細において、様々な修正、変更、およびバリエーションがなされることができる。
以下に、本願出願の当初の特許請求の範囲に記載された発明を付記する。
［１］受信ダイバーシティ処理を実行するための方法であって、
第１および第２のアンテナにより第１および第２の信号をそれぞれ受信することと、
第１の結合信号を生成するために第１のダイバーシティ結合方式を使用して前記第１および第２の信号を結合することと、
第２の結合信号を生成するために第２のダイバーシティ結合方式を使用して前記第１および第２の信号を結合することと、および
前記第１および第２の結合信号の関数としてハイブリッド結合信号を生成することと
を具備する方法。
［２］前記第１のダイバーシティ結合方式は、ビームフォーミングダイバーシティ方式を具備する、［１］に記載の方法。
［３］前記第２のダイバーシティ結合方式は、最大比率結合（MRC）方式を具備する、［２］に記載の方法。
［４］少なくとも１つの信号品質測定を計算することと、
前記信号品質測定が、チャネル状態が雑音によって支配されていると示す場合、前記第１の結合信号からの寄与をより多くして前記ハイブリッド結合信号を生成することと、および
前記信号品質測定が、チャネル状態が干渉によって支配されていると示す場合、前記第２の結合信号からの寄与をより多くして前記ハイブリッド結合信号を生成することと
をさらに具備する［３］に記載の方法。
［５］前記第１および第２の結合信号の関数として前記ハイブリッド結合信号を生成することは、前記ハイブリッド結合信号として前記第１および第２の結合信号のうちの１つを選択することを具備する、［１］に記載の方法。
［６］少なくとも１つの信号品質測定を計算することと、
前記信号品質測定に基づいて第１および第２のセットの重み付け値を生成することと、
前記第１の結合信号に適用される前記第１の重み付け値と前記第２の結合信号に適用される前記第２の重み付け値との重み付けの和の関数として前記ハイブリッド結合信号を生成することと
をさらに具備する［１］に記載の方法。
［７］受信ダイバーシティ処理を実行するための装置であって、
第１の結合信号を生成するために第１のダイバーシティ結合方式を使用して第１および第２のアンテナによりそれぞれ受信される第１および第２の信号を結合するように構成されている第１の結合論理モジュールと、
第２の結合信号を生成するために第２のダイバーシティ結合方式を使用して前記第１および第２の信号を結合するように構成されている第２の結合論理モジュールと、および
前記第１および第２の結合信号の関数としてハイブリッド結合信号を生成するように構成されているハイブリッド論理モジュールと
を具備する装置。
［８］前記第１のダイバーシティ結合方式は、ビームフォーミングダイバーシティ方式を具備する、［７］に記載の装置。
［９］前記第２のダイバーシティ結合方式は、最大比率結合（MRC）方式を具備する、［８］に記載の装置。
［１０］少なくとも１つの信号品質測定を計算するように構成されている信号品質論理モジュールをさらに具備する、［９］に記載の装置であって、
前記ハイブリッド論理モジュールは、前記信号品質測定が、チャネル状態が雑音によって支配されていると示す場合、前記第１の結合信号からの寄与をより多くして前記ハイブリッド結合信号を生成し、前記信号品質測定が、チャネル状態が干渉によって支配されていると示す場合、前記第２の結合信号からの寄与をより多くして前記ハイブリッド結合信号を生成するように構成されている、［９］に記載の装置。
［１１］少なくとも１つの信号品質測定を計算するように構成されている信号品質論理モジュールと、
前記信号品質測定に基づいて第１および第２のセットの重み付け値を生成するように構成されている重み付け生成論理モジュールと
をさらに具備する［７］に記載の装置であって、
前記ハイブリッド論理モジュールは、前記第１の結合信号に適用される前記第１の重み付け値と前記第２の結合信号に適用される前記第２の重み付け値との重み付けの和の関数として前記ハイブリッド結合信号を生成するように構成されている、［７］に記載の装置。
［１２］前記ハイブリッド論理モジュールは、前記ハイブリッド結合信号として前記第１および第２の結合信号のうちの１つを選択することによって前記ハイブリッド結合信号を生成するように構成されている、［７］に記載の装置。
［１３］受信ダイバーシティ処理を実行するための装置であって、
第１および第２のアンテナにより第１および第２の信号をそれぞれ受信するための手段と、
第１の結合信号を生成するために第１のダイバーシティ結合方式を使用して前記第１および第２の信号を結合するための手段と、
第２の結合信号を生成するために第２のダイバーシティ結合方式を使用して前記第１および第２の信号を結合するための手段と、および
前記第１および第２の結合信号の関数としてハイブリッド結合信号を生成するための手段と
を具備する装置。
［１４］前記第１のダイバーシティ結合方式は、ビームフォーミングダイバーシティ方式を具備する、［１３］に記載の装置。
［１５］前記第２のダイバーシティ結合方式は、最大比率結合（MRC）方式を具備する、［１４］に記載の装置。
［１６］少なくとも１つの信号品質測定を計算するための手段をさらに具備する［１５］に記載の装置であって、
前記ハイブリッド結合信号を生成するための前記手段は、前記信号品質測定が、チャネル状態が雑音によって支配されていると示す場合、前記第１の結合信号からの寄与をより多くして前記ハイブリッド結合信号を生成し、前記信号品質測定が、チャネル状態が干渉によって支配されていると示す場合、前記第２の結合信号からの寄与をより多くして前記ハイブリッド結合信号を生成するように構成されている、［１５］に記載の装置。
［１７］少なくとも１つの信号品質測定を計算するための手段と、および
前記信号品質測定に基づいて第１および第２のセットの重み付け値を生成するための手段と
をさらに具備する、［１３］に記載の装置であって、
前記ハイブリッド結合信号を生成するための前記手段は、前記第１の結合信号に適用される前記第１の重み付け値と前記第２の結合信号に適用される前記第２の重み付け値との重み付けの和の関数として前記ハイブリッド結合信号を生成するように構成されている、［１３］に記載の装置。
［１８］前記ハイブリッド結合信号を生成するための前記手段は、前記ハイブリッド結合信号として前記第１および第２の結合信号のうちの１つを選択するように構成されている、［１３］に記載の装置。
［１９］受信ダイバーシティ処理を実行することができるワイヤレス受信デバイスであって、
第１および第２の信号をそれぞれ受信するための第１および第２のアンテナと、
第１の結合信号を生成するために第１のダイバーシティ結合方式を使用して前記第１および第２の信号を結合するように構成されている第１の結合論理モジュールと、
第２の結合信号を生成するために第２のダイバーシティ結合方式を使用して前記第１および第２の信号を結合するように構成されている第２の結合論理モジュールと、および
前記第１および第２の結合信号の関数としてハイブリッド結合信号を生成するように構成されているハイブリッド論理モジュールと
を具備するデバイス。
［２０］前記第１のダイバーシティ結合方式は、ビームフォーミングダイバーシティ方式を具備する、［１９］に記載のデバイス。
［２１］前記第２のダイバーシティ結合方式は、最大比率結合（MRC）方式を具備する、［２０］に記載のデバイス。
［２２］少なくとも１つの信号品質測定を計算するように構成されている測定論理モジュールをさらに具備する、［２１］に記載のデバイスであって、
前記ハイブリッド論理モジュールは、前記信号品質測定が、チャネル状態が雑音によって支配されていると示す場合、前記第１の結合信号からの寄与をより多くして前記ハイブリッド結合信号を生成し、前記信号品質測定が、チャネル状態が干渉によって支配されていると示す場合、前記第２の結合信号からの寄与をより多くして前記ハイブリッド結合信号を生成するように構成されている、［２１］に記載のデバイス。
［２３］１セットの命令を内蔵するコンピュータ可読媒体を具備する受信ダイバーシティ処理を実行するためのコンピュータプログラムプロダクトであって、
命令の前記セットは、１つまたは複数のプロセッサによって実行され、命令の前記セットは、
第１および第２のアンテナにより第１および第２の信号をそれぞれ受信するための命令と、
第１の結合信号を生成するために第１のダイバーシティ結合方式を使用して前記第１および第２の信号を結合するための命令と、
第２の結合信号を生成するために第２のダイバーシティ結合方式を使用して前記第１および第２の信号を結合するための命令と、および
前記第１および第２の結合信号の関数としてハイブリッド結合信号を生成するための命令と
を具備する、コンピュータプログラムプロダクト。
［２４］前記第１および第２のダイバーシティ結合方式のうちの少なくとも１つは、ビームフォーミングダイバーシティ方式を具備し、および前記第１および第２のダイバーシティ結合方式のうちの少なくとも１つは、最大比率結合（MRC）方式を具備する、［２３］に記載のコンピュータプログラムプロダクト。
［２５］少なくとも１つの信号品質測定をとるための命令と、
前記信号品質測定が、チャネル状態が雑音によって支配されていると示す場合、前記第１の結合信号からの寄与をより多くして前記ハイブリッド結合信号を生成するための命令と、および
前記信号品質測定が、チャネル状態が干渉によって支配されていると示す場合、前記第２の結合信号からの寄与をより多くして前記ハイブリッド結合信号を生成するための命令と
をさらに具備する［２４］に記載のコンピュータプログラムプロダクト。
［２６］少なくとも１つの信号品質測定をとるための命令と、および
前記信号品質測定に基づいて第１および第２のセットの重み付け値を生成するための命令と
をさらに具備する［２３］に記載のコンピュータプログラムプロダクトであって、
前記ハイブリッド結合信号を生成するための前記命令は、前記第１の結合信号に適用される前記第１の重み付け値と前記第２の結合信号に適用される前記第２の重み付け値との重み付けの和の関数として前記ハイブリッド結合信号を生成するように構成されている、［２３］に記載のコンピュータプログラムプロダクト。
［２７］送信ダイバーシティ処理を実行するための方法であって、
１つまたは複数の信号品質測定を受信することと、および
前記受信された１つまたは複数の信号品質測定に少なくとも基づいて選択されるように、少なくとも第１の送信ダイバーシティ方式および第２の送信ダイバーシティ方式のうちの１つにしたがってハイブリッド送信ダイバーシティ信号を送信することと
を具備する方法。
［２８］前記第１の送信ダイバーシティ方式は、ビームフォーミング送信ダイバーシティ方式を具備する、［２７］に記載の方法。
［２９］前記第２の送信ダイバーシティ方式は、時空符号化（STC）送信ダイバーシティ方式を具備する、［２８］に記載の方法。
［３０］前記ハイブリッド送信ダイバーシティ信号を送信することは、
前記受信された１つまたは複数の信号品質測定が、チャネル環境が干渉によって支配されていると示す場合、前記第１の送信ダイバーシティ方式にしたがってハイブリッド送信ダイバーシティ信号を送信することと、および
前記受信された１つまたは複数の信号品質測定が、前記チャネル環境が雑音によって支配されていると示す場合、前記第２の送信ダイバーシティ方式にしたがってハイブリッド送信ダイバーシティ信号を送信することと
を具備する、［２９］に記載の方法。
［３１］送信ダイバーシティ処理を実行するための装置であって、
１つまたは複数の信号品質測定を受信するように構成されている受信論理モジュールと、および
前記受信された１つまたは複数の信号品質測定に少なくとも基づいて選択されるように、少なくとも第１の送信ダイバーシティ方式および第２の送信ダイバーシティ方式のうちの１つにしたがってハイブリッド送信ダイバーシティ信号を送信するように構成されている送信論理モジュールと
を具備する装置。
［３２］前記第１の送信ダイバーシティ方式は、ビームフォーミング送信ダイバーシティ方式を具備する、［３１］に記載の装置。
［３３］前記第２の送信ダイバーシティ方式は、時空符号化（STC）送信ダイバーシティ方式を具備する、［３２］に記載の装置。
［３４］前記送信論理モジュールは、
前記受信された１つまたは複数の信号品質測定が、チャネル環境が干渉によって支配されていると示す場合、前記第１の送信ダイバーシティ方式にしたがってハイブリッド送信ダイバーシティ信号を送信し、
前記受信された１つまたは複数の信号品質測定が、前記チャネル環境が雑音によって支配されていると示す場合、前記第２の送信ダイバーシティ方式にしたがってハイブリッド送信ダイバーシティ信号を送信する
ように構成されている、［３３］に記載の装置。
［３５］送信ダイバーシティ処理を実行するための装置であって、
１つまたは複数の信号品質測定を受信するための手段と、および
前記受信された１つまたは複数の信号品質測定に少なくとも基づいて選択されるように、少なくとも第１の送信ダイバーシティ方式および第２の送信ダイバーシティ方式のうちの１つにしたがってハイブリッド送信ダイバーシティ信号を送信するための手段と、
を具備する装置。
［３６］前記第１の送信ダイバーシティ方式は、ビームフォーミング送信ダイバーシティ方式を具備する、［３５］に記載の装置。
［３７］前記第２の送信ダイバーシティ方式は、時空符号化（STC）送信ダイバーシティ方式を具備する、［３６］に記載の装置。
［３８］前記ハイブリッド送信ダイバーシティ信号を送信するための前記手段は、
前記受信された１つまたは複数の信号品質測定が、チャネル環境が干渉によって支配されていると示す場合、前記第１の送信ダイバーシティ方式にしたがってハイブリッド送信ダイバーシティ信号を送信するための手段と、および
前記受信された１つまたは複数の信号品質測定が、前記チャネル環境が雑音によって支配されていると示す場合、前記第２の送信ダイバーシティ方式にしたがってハイブリッド送信ダイバーシティ信号を送信するための手段と
を具備する、［３７］に記載の装置。
［３９］送信ダイバーシティ処理を実行することができるワイヤレス送信デバイスであって、
１つまたは複数の信号品質測定を受信するように構成されている受信論理モジュールに結合されている少なくとも１つのアンテナと、および
前記少なくとも１つのアンテナに結合され、前記受信された１つまたは複数の信号品質測定に少なくとも基づいて選択されるように、少なくとも第１の送信ダイバーシティ方式および第２の送信ダイバーシティ方式のうちの１つにしたがってハイブリッド送信ダイバーシティ信号を送信するように構成されている送信論理モジュールと
を具備するデバイス。
［４０］前記第１の送信ダイバーシティ方式は、ビームフォーミング送信ダイバーシティ方式を具備する、［３９］に記載のデバイス。
［４１］前記第２の送信ダイバーシティ方式は、時空符号化（STC）送信ダイバーシティ方式を具備する、［４０］に記載のデバイス。
［４２］前記送信論理モジュールは、
前記受信された１つまたは複数の信号品質測定が、チャネル環境が干渉によって支配されていると示す場合、前記第１の送信ダイバーシティ方式にしたがってハイブリッド送信ダイバーシティ信号を送信し、および
前記受信された１つまたは複数の信号品質測定が、前記チャネル環境が雑音によって支配されていると示す場合、前記第２の送信ダイバーシティ方式にしたがってハイブリッド送信ダイバーシティ信号を送信するように構成されている、［４１］に記載のデバイス。
［４３］１セットの命令を内蔵するコンピュータ可読媒体を具備する送信ダイバーシティ処理を実行するためのコンピュータプログラムプロダクトであって、命令の前記セットは、１つまたは複数のプロセッサによって実行され、命令の前記セットは、
１つまたは複数の信号品質測定を受信するための命令と、および
前記受信された１つまたは複数の信号品質測定に少なくとも基づいて選択されるように少なくとも１つの送信ダイバーシティ方式および第２の送信ダイバーシティ方式にしたがってハイブリッド送信ダイバーシティ信号を送信するための命令と
を具備するコンピュータプログラムプロダクト。
［４４］前記第１の送信ダイバーシティ方式は、ビームフォーミング送信ダイバーシティ方式を具備する、［４３］に記載の方法。
［４５］前記第２の送信ダイバーシティ方式は、時空符号化（STC）送信ダイバーシティ方式を具備する、［４４］に記載の方法。
［４６］前記ハイブリッド送信ダイバーシティ信号を送信するための前記命令は、
前記受信された１つまたは複数の信号品質測定が、チャネル環境が干渉によって支配されていると示す場合、前記第１の送信ダイバーシティ方式にしたがってハイブリッド送信ダイバーシティ信号を送信するための命令と、および
前記受信された１つまたは複数の信号品質測定が、前記チャネル環境が雑音によって支配されていると示す場合、前記第２の送信ダイバーシティ方式にしたがってハイブリッド送信ダイバーシティ信号を送信するための命令と
を具備する、［４５］に記載の方法。
【国際調査報告】
2011523281.tif 000027
2011523281.tif 000028